(57)【特許請求の範囲】
【請求項１】
コインが入る大きさの複数の開口が、上側のコイン供給面に円周方向に並べて形成されると共に、前記複数の開口をまとめて取り囲むリング状のコインガイドが、前記コイン供給面に突設される回動自在のコイン取込みディスクと、
前記コイン取込みディスクの裏面側にこれと平行に配置され、前記開口から取込まれたコインがその表面を滑動するベースと、
前記コイン取込みディスクの上方に配置されると共に、
前記コインガイドと隙間をあけて対向するコイン案内筒を有するコイン容器と、
を備えたコイン投出装置であって、
前記コインガイドは、その内周側において、突出方向外側に広がって形成されるドーナツ状の傾斜面を有し、
前記コイン案内筒の少なくとも一部が、前記コインガイドに形成される前記傾斜面の少なくとも一部と、前記コイン取込みディスクの前記コイン供給面と平行な方向において重複し、かつ、前記コインガイドに形成される前記傾斜面の少なくとも一部より内側に位置する
ことを特徴とするコイン投出装置。
【請求項２】
請求項１において、
前記コイン案内筒は、前記コインガイドと対向する端部に、前記傾斜面と一定の隙間をあけて平行するリング状の筒側傾斜面を有することを特徴とするコイン投出装置。
【請求項３】
請求項１又は２において、
前記コイン供給面に対する前記傾斜面の傾斜角度αは、前記ベースの表面から前記傾斜面の内周縁までの距離Ｈ、供給されるコインの直径Ｌを用いて、
ｓｉｎα＞Ｈ／Ｌ
の関係を満足することを特徴とするコイン投出装置。
【発明の詳細な説明】
【０００１】
【発明の属する技術分野】
本発明は、スロットマシン、両替機、自動販売機等の内部に配して、所定枚数のコインを払い出すために使用されるコイン投出装置に関する。
【０００２】
【従来の技術】
従来のコイン投出装置１０は、図５に示されるように、多数枚のコインを貯蔵可能なコイン容器１２と、このコイン容器１２の下方に配され、前記コインを取り込み可能な回動自在のコイン取込みディスク１４と、このコイン取込みディスク１４との裏側にこれと平行に配置されるベース１６と、このベース１６の下方に配置され、このベース１６を貫通すると共に前記コイン取込みディスク１４を回動自在に支持する出力軸１８と、この出力軸１８を減速器等を介して回動駆動するモータ２０と、このモータ２０、ベース１６、コイン取込みディスク１４等を約４５°の傾斜に保って一体的に支持する基台２２と、を備えて構成されている。
【０００３】
前記コイン取込みディスク１４は、図６に示されるように、コインが入る大きさの複数の開口１４Ａが、上側のコイン供給面１４Ｃに円周方向に並べて形成されると共に、これら複数の開口１４Ａをまとめて取り囲むリング状のコインガイド１４Ｂが、前記コイン供給面１４Ｃに突設されて構成されている。
【０００４】
このコイン取込みディスク１４の裏面には、特に図示はしないものの、前記各開口１４Ａの間を半径方向外側に向かって延在する複数枚のフィンが放射状に配置されており、このコイン取込みディスク１４と一体となって回転するようになっている。なお、前記ベース１６には、前記フィンの回転によって半径方向外側に押し出されたコインが投出される投出口１６Ａが設けられている。
【０００５】
前記コイン容器１２は、具体的には図７に示されるように、比較的小さな流入口２６を基底に有する受け皿部２４と、前記流入口２６と連通し、この流入口２６を経て流れ込んだ複数枚のコインを前記コイン取込みディスク１４まで案内するコイン案内筒２８と、このコイン容器１２を前記ベース１６に固定する連結部３０と、を備えて構成されている。
【０００６】
前記コイン案内筒２８は、前記コインガイド１４Ｂに隙間を開けて対向するように配置され、又、このコイン案内筒２８の内径は前記コインガイド１４Ｂと略同一内径となるようにされている。
【０００７】
なお、前記流入口２６の開口サイズが前記コイン案内筒２８との内径と比較して小さく設定されているのは、前記受け皿部２４に貯留されている多数枚のコインによる圧力が前記コイン取込みディスク１４に直接かかることを防止するためである。
【０００８】
前記コイン投出装置１０は、前記受け皿部２４に貯蔵された多数枚のコインが、コイン案内筒２８及びコインガイド１４Ｂを介して、前記コイン取込みディスク１４の上側のコイン供給面１４Ｃに案内される。前記コイン取込みディスク１４は、前記モータ２０によって図５に示す矢印Ｎ方向に一定速度で回転されており、この回転により前記各開口１４Ａにコインが１枚ずつ取り込まれる。この開口１４Ａを通過したコインは、特に図示しない前記フィンにより押されるようにして前記ベース１６面上を滑るようして回転し、遠心力等によって徐々に半径方向外側に移動する。最終的にコインは前記フィンによって前記投出口１６Ａに排出される。
【０００９】
なお、前記投出口１６Ａには特に図示しないカウントセンサが設置されており、所定の枚数のコインの排出が終了した時点で前記モータ２０の回転を停止させるようになっている。
【００１０】
【発明が解決しようとする課題】
図８に拡大して示されるように、前記コイン取込みディスク１４を円滑に回転させるためには、前記コインガイド１４Ｂと前記コイン案内筒２８との間を微小の隙間を開けて前記コイン容器１２を設置する必要がある。しかし、このコインガイド１４Ｂやコイン案内筒２８は一般的に樹脂等を用いて成形されており、互いに対向する面を平行にすることが大変困難である。従って、その隙間がコインの厚みより広くなるとこの隙間にコインＣが挟まってしまい、前記コイン取込みディスク１４の回転がロックされたり、回転速度が低下したりする場合があった。又、このコイン投出装置１０を長期間使用することにより、前記コインガイド１４Ｂや前記コイン案内筒２８がコインの接触により削られて前記隙間が拡大し、そこにコインが挟まる場合もあった。
【００１１】
以上からも分かるように、前記隙間は可能な限り狭く設定することが好ましいが、一方、図９に示されるように、使用するコインの厚さに応じて前記コイン取込みディスク１４の下にスペーサ３２を挿入し、ベース１６に対し前記コイン取込みディスク１４を浮かせて設置する場合があり、その際、前記隙間が狭く設定されていると、更に前記コイン容器１２の連結部３０にもスペーサ３４を入れて前記ベース１６に固定する必要があり、コインの厚みに対応する調整が非常に面倒なものであった。
【００１２】
本発明は、上記問題点に鑑みてなされたものであり、コイン取込みディスク１４の回転不良を防止し、又、コインの厚みの変化に対応する調整が容易化されたコイン投出装置を提供することを目的とする。
【００１３】
【課題を解決する手段】
本発明は、コインが入る大きさの複数の開口が、上側のコイン供給面に円周方向に並べて形成されると共に、前記複数の開口をまとめて取り囲むリング状のコインガイドが、前記コイン供給面に突設される回動自在のコイン取込みディスクと、前記コイン取込みディスクの裏面側にこれと平行に配置され、前記開口から取込まれたコインがその表面を滑動するベースと、前記コイン取込みディスクの上方に配置されると共に、前記コインガイドと隙間をあけて対向するコイン案内筒を有するコイン容器と、を備えたコイン投出装置であって、前記コインガイドは、その内周側において、突出方向外側に広がって形成されるドーナツ状の傾斜面を有し、前記コイン案内筒の少なくとも一部が、前記コインガイドに形成される前記傾斜面の少なくとも一部と、前記コイン取込みディスクの前記コイン供給面と平行な方向において重複し、かつ、前記コインガイドに形成される前記傾斜面の少なくとも一部より内側に位置することを特徴とするコイン投出装置により、上記目的を達成するものである。
【００１４】
又、前記コイン投出装置において、前記コイン案内筒は、前記コインガイドと対向する端部に、前記傾斜面と一定の隙間をあけて平行するリング状の筒側傾斜面を有するようにしても良い。
【００１５】
又更に、前記コイン供給面に対する前記傾斜面の傾斜角度αは、前記ベースの表面から前記傾斜面の内周縁までの距離Ｈ、供給されるコインの直径Ｌを用いて、ｓｉｎα＞Ｈ／Ｌの関係を満足するようにしても良い。
【００１６】
【発明の実施の形態】
以下本発明の実施の形態の例について、図面を参照しながら詳細に説明する。
【００１７】
実施の形態の第１例に係るコイン投出装置４０は、図１に示されるように、コインが入る大きさの複数の開口１４Ａが、上側のコイン供給面１４Ｃに円周方向に並べて形成されると共に、この複数の開口１４Ａをまとめて取り囲むリング状のコインガイド１４Ｂが、前記コイン供給面１４Ｃに突設される回動自在のコイン取込みディスク４２と、このコイン取込みディスク４２の裏面側にこれと平行に配置され、前記開口１４Ａから取込まれたコインがその表面を滑動するベース１６と、前記コイン取込みディスク４２の上方に配置されると共に、前記コインガイド１４Ｂに隙間を空けて対向するコイン案内筒２８を有する漏斗状のコイン容器４４とを備えて構成されている。なお、コインを円滑に案内する為に前記コイン案内筒２８の内径は前記コインガイド１４Ｂの内径と略同一とされている。
【００１８】
前記コインガイド１４Ｂは、図２に示されるように、その内周側において、突出方向Ｓ外側に広がって形成されるリング状のディスク側傾斜面４８を有して構成される。又、前記コイン案内筒２８は、前記ディスク側傾斜面４８と平行するように、略反対形状のリング状の筒側傾斜面５０が形成されている。
【００１９】
なお、このコイン投出装置４０のその他の構成については、既に図５において示した従来のコイン投出装置１０と実質的に同一であるため図示は省略し、又、同一部分についてはこのコイン投出装置１０と同一符号を付することで、詳細な説明は省略する。
【００２０】
前記ディスク側及び筒側傾斜面４８、５０の前記コイン供給面１４Ｃに対する傾斜角度αは、前記前記ベース１６の表面から前記ディスク側傾斜面４８の内周縁４８Ａまでの距離Ｈ、供給されるコインの直径Ｌを用いて、ｓｉｎα＞Ｈ／Ｌの関係を満足するようになっている。即ち、コインＣの一端部が前記ディスク側傾斜面４８の内周縁４８Ａに引掛かり、このコインＣの他端が前記開口１４Ａを介して前記ベース１６の表面に接触する状態において、このコインＣの前記ベース１６の表面に対する傾斜角度θは、前記傾斜角度αより小さくなるように設定されている。
【００２１】
なお、前記コイン案内筒２８に設けられる筒側傾斜面５０の傾斜角度αは、先端の強度等を考慮すると４５°以下とすることが望ましい。
【００２２】
前記コイン投出装置４０によれば、図２に示されるように、前記コイン案内筒２８とコインガイド１４Ｂとの隙間がコインの厚みと同じ程度まで開いたとしても、前記ディスク側及び筒側傾斜面４８、５０の間にコインが入ることができない。従って、前記隙間にコインが挟み込まれてコイン取込みディスク１４の回転不良が生じることを防止することができる。
【００２３】
又、コインが通常よりも厚い場合に、前記コイン取込みディスク４２と前記ベース１６との間に挿入されるスペーサ３２の厚さを想定して、前記ディスク側及び筒側傾斜面４８、５０に所定の量の隙間を当初から空けたまま、前記コイン容器４４を前記ベース１６に設置することができるので、コインの厚みの変化に対する調整が容易となる。
【００２４】
更に、前記コイン案内筒２８とコインガイド１４Ｂに前記ディスク側及び筒側傾斜面４８、５０を形成するだけで、このディスク側及び筒側傾斜面４８、５０間の隙間にコインが挟まるのを防止できるため、部品点数の増加やコイン投出装置４０の製造コストの上昇を生じさせることがない。
【００２５】
なお、前記コイン投出装置４０においては、前記コインガイド１４Ｂが前記内周面４６を有する場合に限定されない。例えば図３に示されるように、前記距離Ｈの設定の如何によっては、前記コイン供給面１４Ｃから連続して前記ディスク側傾斜面４８が形成される場合もあり得る。
【００２６】
実施の形態の第２例に係るコイン投出装置６０は、図４に示されるように、前記コインガイド１４Ｂにのみディスク側傾斜面４８が形成されており、前記コイン案内筒２８のコイン取込みディスク４２側先端は、前記コイン供給面１４Ｃと平行となるように形成されている。なお、このコイン投出装置６０のその他の詳細な構成は、既に実施の形態の第１例で示したコイン投出装置４０と同一であるため全体の図示は省略し、又、同一部分にはこのコイン投出装置４０と同一符号を付することで詳細な説明は省略する。
【００２７】
前記コイン投出装置６０においては、実施の形態の第１例に示したものと同様に、前記コインガイド１４Ｂに所望のディスク側傾斜面４８が形成されている結果、コインガイド１４Ｂとコイン案内筒２８との隙間にコインが挟まるのを防止することが可能となる。又、前記コイン案内筒２８の先端に傾斜面を形成する必要がないため、従来のコイン容器をそのまま用いることが可能となる。
【００２８】
本実施の形態の例においては、前記コイン取込みディスク４２の背面に、特に図示しない前記フィンを設けてコインを投出するものを示したが、本発明は、これらに限定されるものではなく、その他のあらゆる手段によりコインを投出するものを含むものである。
【００２９】
又、前記コイン容器４４の形状も前記実施の形態の例に示したもの限定されず、すり鉢状の容器や長いチューブ状の容器等を用いることも可能である。
【００３０】
更に、前記実施の形態の例においては、前記基台２２によりコイン取込みディスク４２や前記コイン案内筒２８等が約４５°の傾斜角を持って保持されている場合を示したが、本発明はこれに限定されるものではなく、各々水平に保持されている場合等も含むものである。
【００３１】
以上、実施の形態の例を通じて、本発明に係るコイン投出装置を具体的に示したが、本発明は前記コイン投出装置４０、６０に限定されるものではなく、発明の要旨を逸脱しない範囲で種々の変更が可能である。
【００３２】
又、本発明のコイン投出装置の用途はスロットマシン、両替機、自動販売機に限定されるものではなく、これらの他にもキャッシュディスペンサーやコイン枚数カウント装置等において、コイン取込みディスクによりコイン（メダル等のコイン類似品を含む。）を一貫して整理する必要のある種々の状況に用いることが可能である。
【００３３】
【発明の効果】
本発明によれば、コイン取込みディスクの回転不良が防止され、又、コインの厚みの変化に対する調整が容易化されたコイン投出装置を得ることができる。
【図面の簡単な説明】
【図１】本発明の実施の形態の第１例に係るコイン投出装置を示す断面図
【図２】図１におけるII部を拡大して示す断面図
【図３】同コイン投出装置の他の例の要部を拡大して示す図２と同様の断面図
【図４】本発明の実施の形態の第２例に係るコイン投出装置の要部を拡大して示す断面図
【図５】従来のコイン投出装置を示す全体側面図
【図６】同コイン投出装置の一部を拡大して示す斜視図
【図７】図６におけるVII−VII矢視断面図
【図８】図７におけるVIII部拡大図
【図９】同コイン投出装置におけるコインが厚い場合の調整方法を示す模式図
【符号の説明】
１４Ａ…開口
１４Ｂ…コインガイド
１４Ｃ…コイン供給面
１６…ベース
２８…コイン案内筒
４０、６０…コイン投出装置
４２…コイン取込みディスク
４４…コイン容器
４６…内周面
４８…ディスク側傾斜面
４８Ａ…内周縁
５０…筒側傾斜面
【図１】
0004322351.tif 000002
【図２】
0004322351.tif 000003
【図３】
0004322351.tif 000004
【図４】
0004322351.tif 000005
【図５】
0004322351.tif 000006
【図６】
0004322351.tif 000007
【図７】
0004322351.tif 000008
【図８】
0004322351.tif 000009
【図９】
0004322351.tif 000010